(57)【特許請求の範囲】
【請求項１】
部屋の出入口付近に設置された人感センサが属する入退出管理グループと、前記部屋の他の位置に設置された人感センサ及び照明装置が属し、それぞれに属する人感センサの位置が互いに異なる複数の通常グループとを設定する設定部と、
前記設定部により設定された複数の通常グループのうち、１つの通常グループの人感センサが人体の存在を検知した場合、それ以前の所定の時間内又は同時に、前記設定部により設定された入退出管理グループの人感センサが人体の存在を検知していれば、前記１つの通常グループの照明装置を点灯させる照明制御部と
を備え、
前記照明制御部は、前記１つの通常グループの人感センサが人体の存在を検知した場合、前記設定部により設定された入退出管理グループの人感センサが人体の存在を検知していなくても、それ以前の所定の時間内又は同時に、前記設定部により設定された複数の通常グループのうち、他の通常グループの人感センサが人体の存在を検知していれば、前記１つの通常グループの照明装置を点灯させる照明制御装置。
【請求項２】
前記他の通常グループは、前記１つの通常グループに隣接する通常グループである請求項１に記載の照明制御装置。
【請求項３】
前記照明制御部は、前記他の通常グループの照明装置が点灯している場合に、前記他の通常グループの人感センサが人体の存在を検知しているとみなす請求項１又は２に記載の照明制御装置。
【請求項４】
前記照明制御部は、前記１つの通常グループの人感センサが人体の存在を検知した場合、前記設定部により設定された入退出管理グループの人感センサが人体の存在を検知していなくても、それ以前の予め指定された時間内に、前記１つの通常グループの人感センサが人体の存在を検知していれば、前記１つの通常グループの照明装置を点灯させる請求項１から３のいずれか１項に記載の照明制御装置。
【請求項５】
部屋の出入口付近に設置された人感センサが属する入退出管理グループと、前記部屋の他の位置に設置された人感センサ及び照明装置が属し、それぞれに属する人感センサの位置が互いに異なる複数の通常グループとを設定する設定部と、
前記設定部により設定された複数の通常グループのうち、１つの通常グループの人感センサが人体の存在を検知した場合、それ以前の所定の時間内又は同時に、前記設定部により設定された入退出管理グループの人感センサが人体の存在を検知していれば、前記１つの通常グループの照明装置を点灯させる照明制御部と
を備え、
前記照明制御部は、前記１つの通常グループの人感センサが人体の存在を検知した場合、前記設定部により設定された入退出管理グループの人感センサが人体の存在を検知していなくても、それ以前の予め指定された時間内に、前記１つの通常グループの人感センサが人体の存在を検知していれば、前記１つの通常グループの照明装置を点灯させる照明制御装置。
【請求項６】
前記照明制御部は、前記１つの通常グループの人感センサが人体の存在を検知した場合、前記設定部により設定された入退出管理グループの人感センサが人体の存在を検知していなくても、それ以前に最後に人体の存在を検知した人感センサが前記設定部により設定された複数の通常グループのいずれかの人感センサであれば、前記１つの通常グループの照明装置を点灯させる請求項１から５のいずれか１項に記載の照明制御装置。
【請求項７】
部屋の出入口付近に設置された人感センサが属する入退出管理グループと、前記部屋の他の位置に設置された人感センサ及び照明装置が属し、それぞれに属する人感センサの位置が互いに異なる複数の通常グループとを設定する設定部と、
前記設定部により設定された複数の通常グループのうち、１つの通常グループの人感センサが人体の存在を検知した場合、それ以前の所定の時間内又は同時に、前記設定部により設定された入退出管理グループの人感センサが人体の存在を検知していれば、前記１つの通常グループの照明装置を点灯させる照明制御部と
を備え、
前記照明制御部は、前記１つの通常グループの人感センサが人体の存在を検知した場合、前記設定部により設定された入退出管理グループの人感センサが人体の存在を検知していなくても、それ以前に最後に人体の存在を検知した人感センサが前記設定部により設定された複数の通常グループのいずれかの人感センサであれば、前記１つの通常グループの照明装置を点灯させる照明制御装置。
【請求項８】
部屋の出入口付近に設置された人感センサが属する入退出管理グループと、前記部屋の他の位置に設置された人感センサ及び照明装置が属し、それぞれに属する人感センサの位置が互いに異なる複数の通常グループとを設定する設定部と、
前記設定部により設定された複数の通常グループのうち、１つの通常グループの人感センサが人体の存在を検知した場合、それ以前の所定の時間内又は同時に、前記設定部により設定された入退出管理グループの人感センサが人体の存在を検知していれば、前記１つの通常グループの照明装置を点灯させる照明制御部と
を備え、
前記設定部は、前記入退出管理グループとして、それぞれに属する人感センサが前記部屋の別々の出入口付近に設置されている複数の入退出管理グループを設定し、
前記複数の入退出管理グループ及び前記複数の通常グループは、複数の分割グループに分類され、
前記照明制御部は、前記１つの通常グループの人感センサが人体の存在を検知した場合、それ以前の所定の時間内又は同時に、前記設定部により設定された複数の入退出管理グループのうち、前記１つの通常グループと同じ分割グループに属する入退出管理グループの人感センサが人体の存在を検知していれば、前記１つの通常グループの照明装置を点灯させる照明制御装置。
【請求項９】
前記複数の通常グループは、隣接する通常グループ同士が同じ分割グループに属するように、同じ通常グループが２つ以上の分割グループに属することを許して、前記複数の分割グループに分類される請求項８に記載の照明制御装置。
【請求項１０】
前記設定部は、前記入退出管理グループとして、前記部屋の出入口付近に設置された人感センサとともに当該出入口付近に設置された照明装置が属する入退出管理グループを設定し、
前記照明制御部は、前記設定部により設定された入退出管理グループの人感センサが人体の存在を検知した場合、当該入退出管理グループの照明装置を点灯させる請求項１から９のいずれか１項に記載の照明制御装置。
【請求項１１】
前記照明制御部は、前記入退出管理グループの照明装置が点灯している場合に、前記入退出管理グループの人感センサが人体の存在を検知しているとみなす請求項１０に記載の照明制御装置。
【請求項１２】
請求項１から１１のいずれか１項に記載の照明制御装置と、
前記入退出管理グループに属する人感センサと、
前記通常グループに属する人感センサと、
前記通常グループに属する照明装置と
を備える照明制御システム。
【発明の詳細な説明】
【技術分野】
【０００１】
本発明は、照明制御装置及び照明制御システムに関するものである。
【背景技術】
【０００２】
焦電センサが外光のゆらぎやカーテンのゆれによる入射光量の変化等を誤検出して、照明装置の誤動作が発生する問題の対策として、マイクを搭載して人の入室音を検知し、さらに検知後の所定時間以内に人感センサが人を検知することを条件として、照明装置を点灯させる照明制御装置がある（例えば、特許文献１参照）。
【先行技術文献】
【特許文献】
【０００３】
【特許文献１】特開２０１０−２０６７１３号公報
【発明の概要】
【発明が解決しようとする課題】
【０００４】
従来の照明制御装置は、人の入室音を検知するためのマイクを搭載するため、コストアップになるという課題があった。また、人の入室音を検知する精度によっては、誤動作を回避できないという課題があった。
【０００５】
本発明は、例えば、人がいないにも関わらず照明装置を点灯させてしまうという誤動作を起こりにくくすることを目的とする。
【課題を解決するための手段】
【０００６】
本発明の一の態様に係る照明制御装置は、
部屋の出入口付近に設置された人感センサが属する入退出管理グループと、前記部屋の他の位置に設置された人感センサ及び照明装置が属する通常グループとを設定する設定部と、
前記設定部により設定された通常グループの人感センサが人体の存在を検知した場合、前記設定部により設定された入退出管理グループの人感センサが人体の存在を検知していれば、当該通常グループの照明装置を点灯させる照明制御部とを備える。
【発明の効果】
【０００７】
本発明の一の態様において、照明制御装置は、通常グループの人感センサが人体の存在を検知した場合、入退出管理グループの人感センサが人体の存在を検知していれば、当該通常グループの照明装置を点灯させる。このため、本発明の一の態様によれば、人がいないにも関わらず照明装置を点灯させてしまうという誤動作が起こりにくくなる。
【図面の簡単な説明】
【０００８】
【図１】実施の形態１に係る照明制御システムの構成を示すブロック図。
【図２】実施の形態１に係る通信ユニットに接続された照明装置（ＬＥＤの場合）の構成を示すブロック図。
【図３】実施の形態１に係る通信ユニットに接続された照明装置（蛍光灯の場合）の構成を示すブロック図。
【図４】実施の形態１に係るコントローラの構成を示すブロック図。
【図５】実施の形態１に係る照明制御システムの機器配置図。
【図６】実施の形態１に係るコントローラの動作を示すフローチャート。
【図７】実施の形態１の変形例に係る照明制御システムの機器配置図。
【図８】実施の形態１の変形例に係るコントローラの動作を示すフローチャート。
【図９】実施の形態２に係るコントローラの動作を示すフローチャート。
【図１０】実施の形態３に係るコントローラの動作を示すフローチャート。
【図１１】実施の形態４に係るコントローラの動作を示すフローチャート。
【図１２】実施の形態５に係るコントローラの動作を示すフローチャート。
【図１３】実施の形態６に係る照明制御システムの機器配置図。
【図１４】実施の形態６の変形例に係る照明制御システムの機器配置図。
【図１５】実施の形態７に係る照明制御システムの構成を示すブロック図。
【図１６】実施の形態８に係る照明制御システムの構成を示すブロック図。
【発明を実施するための形態】
【０００９】
以下、本発明の実施の形態について、図を用いて説明する。なお、各実施の形態の説明において、「上」、「下」、「左」、「右」、「前」、「後」、「表」、「裏」といった方向は、説明の便宜上、そのように記しているだけであって、装置、器具、部品等の配置や向き等を限定するものではない。
【００１０】
実施の形態１．
図１は、本実施の形態に係る照明制御システム１０の構成を示すブロック図である。
【００１１】
図１において、照明制御システム１０は、コントローラ１１、通信ユニット１２、照明装置１３、人感センサ１４、照度センサ１５、壁スイッチ１６、ワイヤレスリモコン１７、設定装置１８を備える。
【００１２】
コントローラ１１は、照明制御装置の例であり、壁スイッチ１６の操作、人感センサ１４の検知状態、照度センサ１５によりモニタした照度値等に応じて、照明装置１３の点滅（点灯／消灯）、調光状態を制御する。
【００１３】
通信ユニット１２は、コントローラ１１と無線通信又は有線通信を行う。この通信を上位通信という。また、通信ユニット１２は、照明装置１３、人感センサ１４、照度センサ１５、壁スイッチ１６と信号線を介して２線式シリアル通信（双方向通信）を行う。この通信を下位通信という。通信ユニット１２は、上位通信と下位通信との間のゲートウェイ機能をもつ。具体的には、通信ユニット１２は、無線通信又は有線通信によりコントローラ１１から受信したデータ設定、モニタリング指示、照明制御（点灯、消灯、調光等）に係る信号を２線式有線シリアル信号に変換する機能をもち、それぞれの照明装置１３、人感センサ１４、照度センサ１５、壁スイッチ１６に予め整理番号となる個別アドレスを割り付けて、個別にデータ設定、モニタリング指示、照明制御を行う。
【００１４】
なお、コントローラ１１と通信ユニット１２とが一体になって、コントローラ１１が照明装置１３、人感センサ１４、照度センサ１５、壁スイッチ１６と直接通信するようにしてもよい。また、通信ユニット１２（あるいは通信ユニット１２と一体のコントローラ１１）と照明装置１３、人感センサ１４、照度センサ１５、壁スイッチ１６との間の通信は、有線シリアル通信以外の任意の通信方式で行ってもよい。
【００１５】
照明装置１３、人感センサ１４、照度センサ１５、壁スイッチ１６は、図１に示すように、１台の通信ユニット１２にそれぞれ１台の機器が接続されてもよいし、１台の通信ユニット１２に複数の機器（例えば、照明装置１３）が接続されてもよいし、１台の通信ユニット１２にその他の任意の組み合わせで接続されてもよい。即ち、照明制御システム１０の全体構成は、構築される照明システムの態様に応じて決められる。
【００１６】
照明装置１３は、ＬＥＤ、蛍光灯、あるいは、その他の光源と、この光源を点灯させる点灯回路とを備えた器具である。照明装置１３は、コントローラ１１から通信ユニット１２を介して送信される信号（照明制御に係る信号）に応じて、光源を点灯又は消灯したり、光源の明るさ（出力）を変えたりする。
【００１７】
人感センサ１４は、コントローラ１１から通信ユニット１２を介して送信される信号（データ設定やモニタリング指示に係る信号）に応じて、周囲の特定エリア（検知エリア）内における人の在／不在を検知し、その結果を示す検知情報をコントローラ１１に通知する。
【００１８】
照度センサ１５は、コントローラ１１から通信ユニット１２を介して送信される信号（データ設定やモニタリング指示に係る信号）に応じて、周囲の特定エリア内における照度（例えば、机上面の照度）を測定し、その結果を示す照度情報をコントローラ１１に通知する。
【００１９】
壁スイッチ１６は、照明装置１３の光源の点灯制御や調光制御のためにユーザによって操作される（例えば、ボタンが押下される）。壁スイッチ１６は、ユーザによって操作されると、その状態（例えば、ボタンの押下）を示す操作情報をコントローラ１１に通知する。
【００２０】
ワイヤレスリモコン１７は、コントローラ１１や通信ユニット１２と無線通信を行い、ユーザの遠隔操作によって照明装置１３の光源の点灯制御や調光制御、コントローラ１１や通信ユニット１２を含む各機器の状態モニタやデータ設定を行う。
【００２１】
設定装置１８は、例えばパーソナルコンピュータであり、コントローラ１１や通信ユニット１２と無線通信又は有線通信を行い、画面から照明装置１３の光源の点灯制御や調光制御、コントローラ１１や通信ユニット１２を含む各機器の状態モニタやデータ設定を行う。
【００２２】
図２は、通信ユニット１２に接続された照明装置１３（ＬＥＤの場合）の構成を示すブロック図である。
【００２３】
図２において、照明装置１３は、制御ユニット２１、ＬＥＤ電源装置２２、ＬＥＤ光源２３を備える。
【００２４】
制御ユニット２１は、通信ユニット１２と有線通信を行い、通信ユニット１２からの指令を基にＬＥＤ電源装置２２に対してＰＷＭ（パルス幅変調）調光信号を出力する。ＬＥＤ電源装置２２は、制御ユニット２１からのＰＷＭ調光信号に従い、ＬＥＤ光源２３を点灯又は消灯させたり、調光したりする。ＬＥＤ光源２３は、ＬＥＤチップを搭載した光源で、ＬＥＤ電源装置２２により駆動される。
【００２５】
例えば、通信ユニット１２から制御ユニット２１に調光率を変化させる信号が送信されると、制御ユニット２１は受信した信号（データ）を解析し、ＬＥＤ電源装置２２に対して出力しているＰＷＭ調光信号を変化させることで、ＬＥＤ光源２３の明るさを変化させる。
【００２６】
図３は、通信ユニット１２に接続された照明装置１３（蛍光灯の場合）の構成を示すブロック図である。
【００２７】
図３において、照明装置１３は、制御ユニット２１、インバータ２４、蛍光ランプ２５を備える。
【００２８】
制御ユニット２１は、通信ユニット１２と有線通信を行い、通信ユニット１２からの指令を基にインバータ２４に対してＰＷＭ調光信号を出力する。インバータ２４は、制御ユニット２１からのＰＷＭ調光信号に従い、蛍光ランプ２５を点灯又は消灯させたり、調光したりする。蛍光ランプ２５は、インバータ２４により駆動される。
【００２９】
例えば、通信ユニット１２から制御ユニット２１に調光率を変化させる信号が送信されると、制御ユニット２１は受信した信号（データ）を解析し、インバータ２４に対して出力しているＰＷＭ調光信号を変化させることで、蛍光ランプ２５の明るさを変化させる。
【００３０】
図４は、コントローラ１１の構成を示すブロック図である。
【００３１】
図４において、コントローラ１１は、設定部３１、記憶部３２、照明制御部３３を備える。
【００３２】
設定部３１は、コントローラ１１と直接あるいは通信ユニット１２を介して接続された人感センサ１４及び照明装置１３を、入退出管理グループ又は通常グループに割り付ける。具体的には、設定部３１は、部屋の出入口付近に設置された人感センサ１４が属する入退出管理グループと、部屋の他の位置に設置された人感センサ１４及び照明装置１３が属する通常グループとを設定する。設定部３１は、１つの入退出管理グループのみを設定していてもよいが、本実施の形態では、それぞれに属する人感センサ１４が部屋の別々の出入口付近に設置されている複数の入退出管理グループ（例えば、後述する入退出管理グループ１，２）を設定しているものとする。また、設定部３１は、１つの通常グループのみを設定していてもよいが、本実施の形態では、それぞれに属する人感センサ１４の位置が互いに異なる複数の通常グループ（例えば、後述する通常グループ１〜６）を設定しているものとする。なお、設定部３１は、入退出管理グループとして、部屋の出入口付近に設置された人感センサ１４とともに当該出入口付近に設置された照明装置１３が属する入退出管理グループを設定していてもよい。
【００３３】
記憶部３２は、設定部３１により設定された入退出管理グループごとに、入退出管理グループの識別子（例えば、番号）と、その入退出管理グループの人感センサ１４の識別子（例えば、番号）やアドレス、人感センサ１４が最後に人体を検知した時刻、その入退出管理グループの人体の検知状態（例えば、人感センサ１４が最後に人体を検知してから所定の時間内を在検知状態、それ以外を不在状態又は不在検知状態とする）等を対応付けて記憶する。また、記憶部３２は、設定部３１により設定された通常グループごとに、通常グループの識別子（例えば、番号）と、その通常グループの人感センサ１４の識別子（例えば、番号）やアドレス、人感センサ１４が最後に人体を検知した時刻、その通常グループの人体の検知状態等、その通常グループの照明装置１３の識別子（例えば、番号）やアドレス、照明装置１３の点灯状態等を対応付けて記憶する。
【００３４】
照明制御部３３は、設定部３１により設定された入退出管理グループの人感センサ１４が人体の存在を検知しているかどうか、設定部３１により設定された通常グループの人感センサ１４が人体の存在を検知しているかどうか、それぞれの人感センサ１４が人体の存在を検知したタイミング等に応じて、記憶部３２に記憶された情報を参照しながら、どの照明装置１３を点灯又は消灯させるかを決定し、それぞれの照明装置１３の照明制御を行う。本実施の形態において、照明制御部３３は、設定部３１により設定された通常グループの人感センサ１４が人体の存在を検知した場合、それ以前の所定の時間内（例えば、１分以内）（所定の時間はゼロに設定してもよい）に、設定部３１により設定された入退出管理グループの人感センサ１４が人体の存在を検知していれば、当該通常グループの照明装置１３を点灯させる。これにより、通常グループの人感センサ１４が人体以外による周囲環境の変化（赤外線、磁界、静電容量、超音波の反射波、電磁波の反射波等の変化）を検知した場合、即ち、誤検知があった場合に、人が部屋に入ってきていない（入ってきていれば直前又は同時に入退出管理グループの人感センサ１４が人体の存在を検知しているはずである）にも関わらず、その通常グループの照明装置１３を点灯させてしまうという誤動作が起こりにくくなる。
【００３５】
記憶部３２は、例えば、メモリ（例えば、ＲＡＭ、ＲＯＭ、フラッシュメモリ）である。図示していないが、コントローラ１１は、例えば、プログラムを実行するＣＰＵ等のプロセッサを備える。プロセッサは、バスを介して記憶部３２と接続され、各部を制御する。記憶部３２は、前述した識別子やアドレス以外にも各種のデータや信号を記憶する。データや信号は、バスや信号線やケーブルその他の伝送媒体により伝送される。設定部３１や照明制御部３３は、ＲＯＭに記憶されたファームウェアで実現されていても構わないし、あるいは、ソフトウェアのみ、あるいは、素子・デバイス・基板・配線等のハードウェアのみ、あるいは、ソフトウェアとハードウェアとの組み合わせ、さらには、ファームウェアとの組み合わせで実現されていても構わない。ファームウェアとソフトウェアは、プログラムとして、記憶部３２に記憶される。このプログラムはプロセッサにより読み出され、プロセッサにより実行される。
【００３６】
図５は、照明制御システム１０の機器配置図である。図５は、入退出管理グループに照明装置１３を含まない場合における入退出管理グループの人感センサ１４、通常グループの人感センサ１４及び照明装置１３の配置例を示している。
【００３７】
図５の例では、部屋の中を６個のブロックに分け、通常グループ１〜６とし、各通常グループに４個の照明装置１３と１個の人感センサ１４を割り付けている。また、部屋の中の通常グループ１〜６のほかに、部屋の２個の出入口付近に設置された人感センサ１４をそれぞれ入退出管理グループ１，２として設定している。
【００３８】
図６は、通常グループの人感センサ１４が人体の存在を検知した場合のコントローラ１１の動作を示すフローチャートである。
【００３９】
図６において、通常グループの人感センサ１４の在検知があった場合（ステップＳ１１で「発生」）、コントローラ１１は、入退出管理グループの検知状態を確認する（ステップＳ１２）。入退出管理グループが在検知状態であれば（ステップＳ１２で「在検知状態」）、コントローラ１１は、通常グループの在検知を有効として（ステップＳ１３）、その通常グループの照明装置１３を点灯させる（ステップＳ１４）。入退出管理グループが不在状態であれば（ステップＳ１２で「不在状態」）、コントローラ１１は、通常グループの在検知を無効として、次に人感センサ１４による在検知が発生するまで動作しない。
【００４０】
ここで、図５の例のように入退出管理グループ及び通常グループが設定されている場合のコントローラ１１の詳細な動作を説明する。
【００４１】
例えば、設定部３１により設定された全ての通常グループ１〜６の人感センサ１４が最後に人体の存在を検知してから所定の時間（例えば、１分）が経過しているとき（即ち、全ての通常グループ１〜６が不在状態のとき）は、全ての通常グループ１〜６の照明装置１３が消灯している。この状態で、通常グループ１〜６のうち、通常グループ１（１つの通常グループの例）の人感センサ１４が人体の存在を検知した（即ち、通常グループ１が在検知状態になった）とする（ステップＳ１１で「発生」）。この場合、照明制御部３３は、それ以前の所定の時間内（例えば、１分以内）に、設定部３１により設定された入退出管理グループ１，２のいずれかの人感センサ１４が人体の存在を検知しているかどうかを判定する（ステップＳ１２）。即ち、照明制御部３３は、入退出管理グループ１，２のいずれかが在検知状態になっているかどうかを判定する。
【００４２】
入退出管理グループ１，２のいずれかが在検知状態になっていれば、照明制御部３３は、通常グループ１の照明装置１３を点灯させる（ステップＳ１３，Ｓ１４）。入退出管理グループ１，２の全てが不在状態になっていれば、照明制御部３３は、通常グループ１の照明装置１３を消灯させたままにする（ステップＳ１１に戻る）。
【００４３】
上記のように、本実施の形態では、通常グループと入退出管理グループの全てが不在検知状態のときは、通常グループの人感センサ１４が在検知した場合でも在検知を無効とし、予め同一の通常グループに割り付けられていた照明装置１３の点灯動作を実施させない。一方、通常グループの人感センサ１４が在検知したときに、既に入退出管理グループが在検知状態であれば、通常グループの在検知を有効とし、予め同一の通常グループに割り付けられていた照明装置１３の点灯動作を実施する。
【００４４】
この機能により、人感センサ１４が人体の動作以外、即ち、人感センサ１４自体から発生するポップコーンノイズや、伝送ラインから受信するノイズ、空間から受信する電波ノイズ、空調等による気流の変化、温度変化、小動物や人体以外の物体の移動、及び熱源となる電気・電子機器の動作等によって、人が存在しない状態で在検知した場合に、照明装置１３が不要な点灯動作をする誤動作を防ぐことができる。部屋の出入口付近に設定した入退出管理グループの人感センサ１４を在検知させることなく人が入室することはできないため、１つ目の通常グループの在検知を有効にするには、入退出管理グループが在検知状態になっていることを条件とし、入退出管理グループが不在状態にも関わらず、１つ目の通常グループの人感センサ１４が在検知した場合には、誤検知であると判断し、在検知を無効にする。
【００４５】
以下では、本実施の形態の変形例について説明する。
【００４６】
図７は、照明制御システム１０の機器配置図である。図７は、入退出管理グループに照明装置１３を含む場合における入退出管理グループの人感センサ１４、通常グループの人感センサ１４及び照明装置１３の配置例を示している。
【００４７】
図７の例では、図５の例と同様に通常グループ１〜６を設定している。また、部屋の２個の出入口付近に設置された人感センサ１４をそれぞれ入退出管理グループ１，２として設定している。入退出管理グループ１には、人感センサ１４のほかに２個の照明装置１３を割り付けている。
【００４８】
図８は、入退出管理グループの人感センサ１４が人体の存在を検知した場合のコントローラ１１の動作を示すフローチャートである。
【００４９】
図８において、入退出管理グループの人感センサ１４の在検知があった場合（ステップＳ２１で「発生」）、コントローラ１１は、無条件で入退出管理グループの在検知を有効として（ステップＳ２２）、その入退出管理グループの照明装置１３を点灯させる（ステップＳ２３）。
【００５０】
ここで、図７の例のように入退出管理グループ及び通常グループが設定されている場合のコントローラ１１の詳細な動作を説明する。
【００５１】
通常グループ１〜６のいずれかの人感センサ１４が人体の存在を検知した（即ち、通常グループ１〜６のいずれかが在検知状態になった）場合の動作については、図５の例のように入退出管理グループ及び通常グループが設定されている場合の動作と同様である。
【００５２】
例えば、設定部３１により設定された入退出管理グループ１の人感センサ１４が最後に人体の存在を検知してから所定の時間（例えば、１分）が経過しているとき（即ち、入退出管理グループ１が不在状態のとき）は、入退出管理グループ１の照明装置１３が消灯している。この状態で、入退出管理グループ１の人感センサ１４が人体の存在を検知した（即ち、入退出管理グループ１が在検知状態になった）とする（ステップＳ２１で「発生」）。この場合、照明制御部３３は、入退出管理グループ１の照明装置１３を点灯させる（ステップＳ２２，Ｓ２３）。
【００５３】
上記のように、入退出管理グループ内でも、例えば、人感センサ１４が在検知した場合に照明装置１３が点灯し、不在検知した場合には消灯するようにしてもよい。
【００５４】
本実施の形態において、各グループの中には、単一又は複数の照明装置１３及び人感センサ１４を割り付けることができ、複数の人感センサ１４が割り付けられた場合、コントローラ１１は、グループ内で１台のみの人感センサ１４が在検知した場合でも、そのグループが在検知状態になったと判定する。コントローラ１１は、全ての人感センサ１４が不在検知した場合のみ、そのグループが不在状態になったと判定する。また、各グループには、前述した照度センサ１５、壁スイッチ１６を割り付けることで、組み合わせて制御することが可能である。
【００５５】
一方で、入退出管理グループについては、コントローラ１１は、全てのグループが不在検知状態であっても、入退出管理グループの人感センサ１４が在検知した場合には在検知を有効とし、予め同一の入退出管理グループに割り付けられた照明装置１３があれば、点灯動作を実行する。即ち、入退出管理グループは他のグループの検知状態に関わらず在検知が有効となる。
【００５６】
なお、コントローラ１１は、通常グループの人感センサ１４の在検知があった場合（ステップＳ１１で「発生」）、その時点で入退出管理グループの照明装置１３が点灯中であれば、入退出管理グループの検知状態に関わらず、通常グループの在検知を有効として（ステップＳ１３）、その通常グループの照明装置１３を点灯させてもよい（ステップＳ１４）。即ち、照明制御部３３は、入退出管理グループの照明装置１３が点灯している場合に、当該入退出管理グループの人感センサ１４が人体の存在を検知しているとみなしてもよい。
【００５７】
以上説明したように、本実施の形態において、照明制御システム１０は、複数の照明装置１３と、照明装置１３の点灯制御及び機能設定を行うための命令信号を送信するコントローラ１１と、照明装置１３と信号線により接続されコントローラ１１から送信された命令信号を受信するとともに信号線を介して照明装置１３に出力する複数の通信ユニット１２と、通信ユニット１２と信号線で接続され、関連付けた照明装置１３を点滅制御するために、コントローラ１１に操作情報を発信する壁スイッチ１６と、該当する範囲の照度値を検知してコントローラ１１に照度情報を発信する照度センサ１５と、検知エリアに人が侵入したことを検知し、コントローラ１１の検知情報を発信する人感センサ１４からなる。照明装置１３を設置しているエリアの出入口付近に設置された単一又は複数の入退出管理グループと、出入口以外に設置された単一又は複数の通常グループとの２種類のグループが設けられている。コントローラ１１は、全ての通常グループが不在状態のときには、入退出管理グループのいずれか１つが在検知状態になっている場合（あるいは、入退出管理グループのいずれか１つで照明装置１３が点灯状態になっている場合）のみ、通常グループの在検知を有効とする。これにより、人が入ってきたのではなく、ノイズ等が原因で人感センサ１４が誤検知した場合でも、照明装置１３の不要点灯確率を低減することができる。
【００５８】
実施の形態２．
本実施の形態について、主に実施の形態１との差異を説明する。
【００５９】
図９は、通常グループの人感センサ１４が人体の存在を検知した場合のコントローラ１１の動作を示すフローチャートである。
【００６０】
図９において、通常グループの人感センサ１４の在検知があった場合（ステップＳ３１で「発生」）、コントローラ１１は、入退出管理グループの検知状態を確認する（ステップＳ３２）。入退出管理グループが在検知状態であれば（ステップＳ３２で「在検知状態」）、コントローラ１１は、通常グループの在検知を有効として（ステップＳ３４）、その通常グループの照明装置１３を点灯させる（ステップＳ３５）。入退出管理グループが不在状態であった場合でも（ステップＳ３２で「不在状態」）、他の通常グループで、在検知状態のグループが１つでもある場合（ステップＳ３３で「在検知状態」）、コントローラ１１は、通常グループの在検知を有効として（ステップＳ３４）、その通常グループの照明装置１３を点灯させる（ステップＳ３５）。他の通常グループが全て不在状態であれば（ステップＳ３３で「不在状態」）、コントローラ１１は、通常グループの在検知を無効として、次に人感センサ１４による在検知が発生するまで動作しない。
【００６１】
ここで、図５の例のように入退出管理グループ及び通常グループが設定されている場合のコントローラ１１の詳細な動作を説明する。
【００６２】
例えば、設定部３１により設定された通常グループ１の人感センサ１４が最後に人体の存在を検知してから所定の時間（例えば、１分）が経過しているとき（即ち、通常グループ１が不在状態のとき）は、通常グループ１の照明装置１３が消灯している。この状態で、通常グループ１の人感センサ１４が人体の存在を検知した（即ち、通常グループ１が在検知状態になった）とする（ステップＳ３１で「発生」）。この場合、照明制御部３３は、それ以前の所定の時間内（例えば、１分以内）に、設定部３１により設定された入退出管理グループ１，２のいずれかの人感センサ１４が人体の存在を検知しているかどうかを判定する（ステップＳ３２）。即ち、照明制御部３３は、入退出管理グループ１，２のいずれかが在検知状態になっているかどうかを判定する。
【００６３】
入退出管理グループ１，２のいずれかが在検知状態になっていれば、照明制御部３３は、通常グループ１の照明装置１３を点灯させる（ステップＳ３４，Ｓ３５）。入退出管理グループ１，２の全てが不在状態になっている場合、照明制御部３３は、それ以前の所定の時間内（例えば、１分以内）に、通常グループ２〜６のいずれか（他の通常グループの例）の人感センサ１４が人体の存在を検知しているかどうかを判定する（ステップＳ３３）。即ち、照明制御部３３は、通常グループ２〜６のいずれかが在検知状態になっているかどうかを判定する。
【００６４】
入退出管理グループ１，２の全てが不在状態になっていても、通常グループ２〜６のいずれかが在検知状態になっていれば、照明制御部３３は、通常グループ１の照明装置１３を点灯させる（ステップＳ３４，Ｓ３５）。入退出管理グループ１，２及び通常グループ２〜６の全てが不在状態になっていれば、照明制御部３３は、通常グループ１の照明装置１３を消灯させたままにする（ステップＳ３１に戻る）。
【００６５】
なお、コントローラ１１は、通常グループの人感センサ１４の在検知があった場合（ステップＳ３１で「発生」）、かつ、入退出管理グループが不在状態であった場合（ステップＳ３２で「不在状態」）、その時点で他の通常グループの照明装置１３が点灯中であれば、他の通常グループの検知状態に関わらず、通常グループの在検知を有効として（ステップＳ３４）、その通常グループの照明装置１３を点灯させてもよい（ステップＳ３５）。即ち、照明制御部３３は、他の通常グループの照明装置１３が点灯している場合に、当該他の通常グループの人感センサ１４が人体の存在を検知しているとみなしてもよい。
【００６６】
また、コントローラ１１は、通常グループの人感センサ１４の在検知があった場合（ステップＳ３１で「発生」）、かつ、入退出管理グループが不在状態であった場合（ステップＳ３２で「不在状態」）、他の通常グループのいずれか１つが検知状態であれば（ステップＳ３３で「在検知状態」）、通常グループの在検知を有効として（ステップＳ３４）、その通常グループの照明装置１３を点灯させるが（ステップＳ３５）、このとき、検知状態になっている他の通常グループの照明装置１３も（消灯中ならば）あわせて点灯させてよい。
【００６７】
上記のように、本実施の形態では、通常グループのいずれか１つが在検知状態になっている場合（あるいは、通常グループのいずれか１つで照明装置１３が点灯状態になっている場合）は、入退出管理グループが全て不在状態であっても、他の通常グループの在検知を有効にする。
【００６８】
この機能により、室内の通常グループの範囲で人が存在し、長時間作業を行った場合で、入退出管理グループ付近には人が存在しない場合でも、通常グループ間で人が移動し、新たに別の通常グループが在検知したときには、有効として照明装置１３を点灯させることができる。
【００６９】
実施の形態３．
本実施の形態について、主に実施の形態１との差異を説明する。
【００７０】
図１０は、通常グループの人感センサ１４が人体の存在を検知した場合のコントローラ１１の動作を示すフローチャートである。
【００７１】
図１０において、通常グループの人感センサ１４の在検知があった場合（ステップＳ４１で「発生」）、コントローラ１１は、入退出管理グループの検知状態を確認する（ステップＳ４２）。入退出管理グループが在検知状態であれば（ステップＳ４２で「在検知状態」）、コントローラ１１は、通常グループの在検知を有効として（ステップＳ４４）、その通常グループの照明装置１３を点灯させる（ステップＳ４５）。入退出管理グループが不在状態であった場合でも（ステップＳ４２で「不在状態」）、今回在検知した人感センサ１４が属する通常グループに隣接する通常グループが在検知状態である場合（ステップＳ４３で「在検知状態」）、コントローラ１１は、今回在検知した人感センサ１４が属する通常グループの在検知を有効として（ステップＳ４４）、その通常グループの照明装置１３を点灯させる（ステップＳ４５）。隣接する通常グループが不在状態であれば（ステップＳ４３で「不在状態」）、コントローラ１１は、今回在検知した人感センサ１４が属する通常グループの在検知を無効として、次に人感センサ１４による在検知が発生するまで動作しない。
【００７２】
なお、どの通常グループ同士が隣接しているかを示す設定情報は、ワイヤレスリモコン１７や設定装置１８から、予めコントローラ１１の記憶部３２に書き込んでおくものとする。
【００７３】
ここで、図５の例のように入退出管理グループ及び通常グループが設定されている場合のコントローラ１１の詳細な動作を説明する。
【００７４】
例えば、設定部３１により設定された通常グループ１の人感センサ１４が最後に人体の存在を検知してから所定の時間（例えば、１分）が経過しているとき（即ち、通常グループ１が不在状態のとき）は、通常グループ１の照明装置１３が消灯している。この状態で、通常グループ１の人感センサ１４が人体の存在を検知した（即ち、通常グループ１が在検知状態になった）とする（ステップＳ４１で「発生」）。この場合、照明制御部３３は、それ以前の所定の時間内（例えば、１分以内）に、設定部３１により設定された入退出管理グループ１，２のいずれかの人感センサ１４が人体の存在を検知しているかどうかを判定する（ステップＳ４２）。即ち、照明制御部３３は、入退出管理グループ１，２のいずれかが在検知状態になっているかどうかを判定する。
【００７５】
入退出管理グループ１，２のいずれかが在検知状態になっていれば、照明制御部３３は、通常グループ１の照明装置１３を点灯させる（ステップＳ４４，Ｓ４５）。入退出管理グループ１，２の全てが不在状態になっている場合、照明制御部３３は、それ以前の所定の時間内（例えば、１分以内）に、通常グループ１に隣接する通常グループ２，４（さらに、通常グループ５を含めてもよい）のいずれかの人感センサ１４が人体の存在を検知しているかどうかを判定する（ステップＳ４３）。即ち、照明制御部３３は、通常グループ２，４のいずれかが在検知状態になっているかどうかを判定する。
【００７６】
入退出管理グループ１，２の全てが不在状態になっていても、通常グループ２，４のいずれかが在検知状態になっていれば、照明制御部３３は、通常グループ１の照明装置１３を点灯させる（ステップＳ４４，Ｓ４５）。入退出管理グループ１，２及び通常グループ２，４の全てが不在状態になっていれば、照明制御部３３は、通常グループ１の照明装置１３を消灯させたままにする（ステップＳ４１に戻る）。
【００７７】
なお、コントローラ１１は、通常グループの人感センサ１４の在検知があった場合（ステップＳ４１で「発生」）、かつ、入退出管理グループが不在状態であった場合（ステップＳ４２で「不在状態」）、その時点で隣接する通常グループの照明装置１３が点灯中であれば、隣接する通常グループの検知状態に関わらず、通常グループの在検知を有効として（ステップＳ４４）、その通常グループの照明装置１３を点灯させてもよい（ステップＳ４５）。即ち、照明制御部３３は、隣接する他の通常グループの照明装置１３が点灯している場合に、当該他の通常グループの人感センサ１４が人体の存在を検知しているとみなしてもよい。
【００７８】
また、コントローラ１１は、通常グループの人感センサ１４の在検知があった場合（ステップＳ４１で「発生」）、かつ、入退出管理グループが不在状態であった場合（ステップＳ４２で「不在状態」）、隣接する通常グループが検知状態であれば（ステップＳ４３で「在検知状態」）、通常グループの在検知を有効として（ステップＳ４４）、その通常グループの照明装置１３を点灯させるが（ステップＳ４５）、このとき、検知状態になっている、隣接する通常グループの照明装置１３も（消灯中ならば）あわせて点灯させてよい。
【００７９】
上記のように、本実施の形態では、全ての通常グループが不在状態のときには、入退出管理グループが在検知状態になっていない場合でも、通常グループの中で、任意の時間以内に隣接するグループが連続して在検知状態になった場合（あるいは、隣接する通常グループのいずれか１つで照明装置１３が点灯状態になっている場合）には、通常グループの在検知を有効とする。
【００８０】
この機能により、室内の通常グループの範囲で人が存在し、長時間作業を行った場合で、入退出管理グループ付近には人が存在しない場合でも、通常グループ間で人が移動し、隣接した通常グループが在検知した場合に限定して、今回の通常グループを有効とし、照明装置１３を点灯させることができる。
【００８１】
実施の形態４．
本実施の形態について、主に実施の形態１との差異を説明する。
【００８２】
図１１は、通常グループの人感センサ１４が人体の存在を検知した場合のコントローラ１１の動作を示すフローチャートである。
【００８３】
図１１において、通常グループの人感センサ１４の在検知があった場合（ステップＳ５１で「発生」）、コントローラ１１は、入退出管理グループの検知状態を確認する（ステップＳ５２）。入退出管理グループが在検知状態であれば（ステップＳ５２で「在検知状態」）、コントローラ１１は、通常グループの在検知を有効として（ステップＳ５４）、その通常グループの照明装置１３を点灯させる（ステップＳ５５）。入退出管理グループが不在状態であった場合でも（ステップＳ５２で「不在状態」）、今回在検知した人感センサ１４が属する通常グループにおいて直前の任意の猶予期間内で人感センサ１４が在検知した履歴がある場合（ステップＳ５３で「履歴あり」）、コントローラ１１は、今回在検知した人感センサ１４が属する通常グループの在検知を有効として（ステップＳ５４）、その通常グループの照明装置１３を点灯させる（ステップＳ５５）。任意の猶予期間内で在検知した履歴がない場合は（ステップＳ５３で「履歴なし」）、コントローラ１１は、今回在検知した人感センサ１４が属する通常グループの在検知を無効として、次に人感センサ１４による在検知が発生するまで動作しない。
【００８４】
なお、猶予期間は任意に設定でき（ただし、前述した所定の時間より長めに設定する）、ワイヤレスリモコン１７や設定装置１８から、予めコントローラ１１の記憶部３２に書き込んでおくものとする。
【００８５】
ここで、図５の例のように入退出管理グループ及び通常グループが設定されている場合のコントローラ１１の詳細な動作を説明する。
【００８６】
例えば、設定部３１により設定された全ての通常グループ１〜６の人感センサ１４が最後に人体の存在を検知してから所定の時間（例えば、１分）が経過しているとき（即ち、全ての通常グループ１〜６が不在状態のとき）は、全ての通常グループ１〜６の照明装置１３が消灯している。この状態で、通常グループ１の人感センサ１４が人体の存在を検知した（即ち、通常グループ１が在検知状態になった）とする（ステップＳ５１で「発生」）。この場合、照明制御部３３は、それ以前の所定の時間内（例えば、１分以内）に、設定部３１により設定された入退出管理グループ１，２のいずれかの人感センサ１４が人体の存在を検知しているかどうかを判定する（ステップＳ５２）。即ち、照明制御部３３は、入退出管理グループ１，２のいずれかが在検知状態になっているかどうかを判定する。
【００８７】
入退出管理グループ１，２のいずれかが在検知状態になっていれば、照明制御部３３は、通常グループ１の照明装置１３を点灯させる（ステップＳ５４，Ｓ５５）。入退出管理グループ１，２の全てが不在状態になっている場合、照明制御部３３は、それ以前の予め指定された時間内（例えば、５分以内）に、通常グループ１の人感センサ１４が人体の存在を検知していたかどうかを判定する（ステップＳ５３）。即ち、照明制御部３３は、前回、通常グループ１の人感センサ１４が人体の存在を検知してから猶予期間が経過していないかどうかを判定する。
【００８８】
入退出管理グループ１，２の全てが不在状態になっていても、前回、通常グループ１の人感センサ１４が人体の存在を検知してから猶予期間が経過していなければ、照明制御部３３は、通常グループ１の照明装置１３を点灯させる（ステップＳ５４，Ｓ５５）。入退出管理グループ１，２の全てが不在状態になっており、前回、通常グループ１の人感センサ１４が人体の存在を検知してから猶予期間が経過していれば、照明制御部３３は、通常グループ１の照明装置１３を消灯させたままにする（ステップＳ５１に戻る）。
【００８９】
上記のように、本実施の形態では、全ての通常グループが不在状態のときには、入退出管理グループが在検知状態になっていない場合でも、通常グループの中で、任意の時間以内に同一のグループが再び在検知状態になった場合には、通常グループの在検知を有効とする。
【００９０】
この機能により、例えば、室内の通常グループの範囲で人が存在し、入退出管理グループ付近に人が存在しない場合、通常グループの範囲内で一定時間動作をしないことが原因で、人感センサ１４が不在検知して照明装置１３が消灯した場合に、予め設定している猶予期間内であれば、その場で再度人が動作することで、同一の人感センサ１４が再度在検知し、通常グループの在検知が有効となり、照明装置１３を点灯させることができる。
【００９１】
実施の形態５．
本実施の形態について、主に実施の形態１との差異を説明する。
【００９２】
図１２は、通常グループの人感センサ１４が人体の存在を検知した場合のコントローラ１１の動作を示すフローチャートである。
【００９３】
図１２において、通常グループの人感センサ１４の在検知があった場合（ステップＳ６１で「発生」）、コントローラ１１は、入退出管理グループの検知状態を確認する（ステップＳ６２）。入退出管理グループが在検知状態であれば（ステップＳ６２で「在検知状態」）、コントローラ１１は、通常グループの在検知を有効として（ステップＳ６４）、その通常グループの照明装置１３を点灯させる（ステップＳ６５）。入退出管理グループが不在状態であった場合でも（ステップＳ６２で「不在状態」）、前回、全グループが不在状態になったときに、最後に不在検知したのが通常グループだった場合（ステップＳ６３で「通常グループ」）、コントローラ１１は、今回在検知した人感センサ１４が属する通常グループの在検知を有効として（ステップＳ６４）、その通常グループの照明装置１３を点灯させる（ステップＳ６５）。前回、全グループが不在状態になったときに、最後に不在検知したのが入退出管理グループだった場合は（ステップＳ６３で「入退出管理グループ」）、コントローラ１１は、今回在検知した人感センサ１４が属する通常グループの在検知を無効として、次に人感センサ１４による在検知が発生するまで動作しない。
【００９４】
ここで、図５の例のように入退出管理グループ及び通常グループが設定されている場合のコントローラ１１の詳細な動作を説明する。
【００９５】
例えば、設定部３１により設定された全ての通常グループ１〜６の人感センサ１４が最後に人体の存在を検知してから所定の時間（例えば、１分）が経過しているとき（即ち、全ての通常グループ１〜６が不在状態のとき）は、全ての通常グループ１〜６の照明装置１３が消灯している。この状態で、通常グループ１の人感センサ１４が人体の存在を検知した（即ち、通常グループ１が在検知状態になった）とする（ステップＳ６１で「発生」）。この場合、照明制御部３３は、それ以前の所定の時間内（例えば、１分以内）に、設定部３１により設定された入退出管理グループ１，２のいずれかの人感センサ１４が人体の存在を検知しているかどうかを判定する（ステップＳ６２）。即ち、照明制御部３３は、入退出管理グループ１，２のいずれかが在検知状態になっているかどうかを判定する。
【００９６】
入退出管理グループ１，２のいずれかが在検知状態になっていれば、照明制御部３３は、通常グループ１の照明装置１３を点灯させる（ステップＳ６４，Ｓ６５）。入退出管理グループ１，２の全てが不在状態になっている場合、照明制御部３３は、それ以前に最後に人体の存在を検知した人感センサ１４がどのグループの人感センサ１４であるかを判定する（ステップＳ６３）。
【００９７】
入退出管理グループ１，２の全てが不在状態になっていても、最後に人体の存在を検知した人感センサ１４が通常グループ１〜６のいずれかの人感センサ１４であれば、照明制御部３３は、通常グループ１の照明装置１３を点灯させる（ステップＳ６４，Ｓ６５）。入退出管理グループ１，２の全てが不在状態になっており、最後に人体の存在を検知した人感センサ１４が入退出管理グループ１，２のいずれかの人感センサ１４であれば、照明制御部３３は、通常グループ１の照明装置１３を消灯させたままにする（ステップＳ６１に戻る）。
【００９８】
上記のように、本実施の形態では、全ての通常グループが不在状態のときには、全てのグループの中で最後に不在検知したグループが通常グループだった場合、入退出管理グループが在検知状態になっていない場合でも、通常グループの在検知を有効とする。
【００９９】
この機能により、最後に不在検知したのが通常グループだった場合は、室内に人がまだ存在するが、停止している等の理由で不在検知していると判断でき、最後に不在検知したのが入退出管理グループだった場合には、人が出入口から退出したと判断できる。
【０１００】
実施の形態６．
本実施の形態について、主に実施の形態１との差異を説明する。
【０１０１】
本実施の形態では、複数の入退出管理グループ及び複数の通常グループが、複数の分割グループに分類される。
【０１０２】
図１３は、照明制御システム１０の機器配置図である。図１３は、図５の例における分割グループの設定例を示している。
【０１０３】
図１３の例では、通常グループ１，４を分割グループ１、通常グループ２，５を分割グループ２、通常グループ３，６を分割グループ３として割り付けている。
【０１０４】
実施の形態１では、各条件に従って室内の通常グループの在検知状態を基に、今回在検知した人感センサ１４が属する通常グループの在検知の有効／無効を決定しているが、本実施の形態では、判断対象とする通常グループの範囲を室内全ての通常グループではなく、同一の分割グループに属する通常グループのみとすることで、誤検知による不要動作を効率的に抑えることが可能となる。なお、実施の形態２〜５においても、本実施の形態と同様に分割グループを設定して分割グループ単位で照明制御を行う（照明装置１３を点灯させるグループを決定する）ことが可能である。即ち、図９〜図１２のように、通常グループの状態を見る場合も、分割グループが対象になってよい。
【０１０５】
ここで、図６を用いて、図１３の例のように入退出管理グループ及び通常グループが設定されている場合のコントローラ１１の詳細な動作を説明する。
【０１０６】
例えば、設定部３１により設定された通常グループ１，２の人感センサ１４が最後に人体の存在を検知してから所定の時間（例えば、１分）が経過しているとき（即ち、分割グループ１に属する通常グループ１，２が不在状態のとき）は、通常グループ１，２の照明装置１３が消灯している。この状態で、通常グループ１の人感センサ１４が人体の存在を検知した（即ち、通常グループ１が在検知状態になった）とする（ステップＳ１１で「発生」）。この場合、照明制御部３３は、それ以前の所定の時間内（例えば、１分以内）に、入退出管理グループ１，２のうち、通常グループ１と同じ分割グループ１に属する入退出管理グループ１の人感センサ１４が人体の存在を検知しているかどうかを判定する（ステップＳ１２）。即ち、照明制御部３３は、入退出管理グループ１が在検知状態になっているかどうかを判定する。
【０１０７】
入退出管理グループ１が在検知状態になっていれば、照明制御部３３は、通常グループ１の照明装置１３を点灯させる（ステップＳ１３，Ｓ１４）。入退出管理グループ１が不在状態になっていれば、照明制御部３３は、通常グループ１の照明装置１３を消灯させたままにする（ステップＳ１１に戻る）。
【０１０８】
以下では、本実施の形態の変形例について説明する。
【０１０９】
この変形例では、隣接する通常グループ同士が同じ分割グループに属するように、同じ通常グループが２つ以上の分割グループに属することを許して、複数の通常グループが複数の分割グループに分類される。
【０１１０】
図１４は、照明制御システム１０の機器配置図である。図１４は、図５の例における分割グループの設定例を示している。
【０１１１】
図１４の例では、通常グループ１，２，４，５を分割グループ１、通常グループ２，３，５，６を分割グループ２として割り付けている。
【０１１２】
この変形例では、分割グループについて、隣接する分割グループに属する通常グループ同士が、関連して動作するために、隣接する分割グループの境界に位置する通常グループが互いの分割グループに含まれ、設定範囲が重複している。そのため、例えば、通常グループ２が在検知状態になっている場合は、通常グループ２が分割グループ１、分割グループ２の両方に属しているため、入退出管理グループ１，２のどちらが在検知状態になったときでも同様に通常グループ２の在検知を有効にして照明装置１３を点灯させることができる。
【０１１３】
実施の形態７．
本実施の形態について、主に実施の形態１〜６との差異を説明する。
【０１１４】
図１５は、本実施の形態に係る照明制御システム１０の構成を示すブロック図である。
【０１１５】
図１５において、照明制御システム１０は、図１に示した実施の形態１の各機器のほか、上位システムを構成するゲートウェイ１９、中央管理装置２０を備える。図示していないが、本実施の形態において、照明制御システム１０は、コントローラ１１を複数備える。それぞれのコントローラ１１は、実施の形態１と同様に、通信ユニット１２より下位に位置する機器の設定、制御状態の管理を行う。
【０１１６】
ゲートウェイ１９は、複数のコントローラ１１の上位側に有線接続され、それぞれのコントローラ１１と有線シリアル通信を行う。また、ゲートウェイ１９は、中央管理装置２０とローカルエリアネットワーク（例えば、Ｅｔｈｅｒｎｅｔ（登録商標））を介して接続され、中央管理装置２０とＬＡＮ通信を行う。即ち、ゲートウェイ１９は、有線シリアル通信とＬＡＮ通信との変換機能を有し、この機能によりデータの送受信を行う。
【０１１７】
中央管理装置２０は、パーソナルコンピュータ等、画面（例えば、液晶画面）が備えられた装置である。ユーザは、中央管理装置２０を操作することにより、複数のコントローラ１１及びその下位の各機器を画面上で一括制御及び監視することができる。中央管理装置２０は、空調機器等、他の設備機器と連動することも可能である。
【０１１８】
本実施の形態では、中央管理装置２０から各種設定を行うことができ、その設定値は、複数のコントローラ１１に送信される。
【０１１９】
このように、本実施の形態では、実施の形態１と同様の通信シーケンスを利用し、さらに上位に構成されたシステムにおいて、操作画面による操作、状態モニタを行うことができ、実施の形態１〜６でワイヤレスリモコン１７や設定装置１８で実施していた猶予期間や隣接グループ等の設定を上位システムから実施することができる。
【０１２０】
実施の形態８．
本実施の形態について、主に実施の形態７との差異を説明する。
【０１２１】
図１６は、本実施の形態に係る照明制御システム１０の構成を示すブロック図である。
【０１２２】
図１６において、照明制御システム１０は、図１５に示した実施の形態７と同様の機器を備えるが、コントローラ１１と通信ユニット１２とが一体になっている。
【０１２３】
このように、通信ユニット１２の機能をコントローラ１１に搭載することで、コントローラ１１が各機器（照明装置１３、人感センサ１４、照度センサ１５、壁スイッチ１６）とデータの送受信を直接行うことができるようになる。
【０１２４】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。例えば、実施の形態２〜５の機能を組み合わせることで、必要に応じて特徴のある判定条件を作り出すことが可能である。なお、本発明は、これらの実施の形態に限定されるものではなく、必要に応じて種々の変更が可能である。
【符号の説明】
【０１２５】
１０  照明制御システム、１１  コントローラ、１２  通信ユニット、１３  照明装置、１４  人感センサ、１５  照度センサ、１６  壁スイッチ、１７  ワイヤレスリモコン、１８  設定装置、１９  ゲートウェイ、２０  中央管理装置、２１  制御ユニット、２２  ＬＥＤ電源装置、２３  ＬＥＤ光源、２４  インバータ、２５  蛍光ランプ、３１  設定部、３２  記憶部、３３  照明制御部。
【図１】
0006037651.tif 000002
【図２】
0006037651.tif 000003
【図３】
0006037651.tif 000004
【図４】
0006037651.tif 000005
【図５】
0006037651.tif 000006
【図６】
0006037651.tif 000007
【図７】
0006037651.tif 000008
【図８】
0006037651.tif 000009
【図９】
0006037651.tif 000010
【図１０】
0006037651.tif 000011
【図１１】
0006037651.tif 000012
【図１２】
0006037651.tif 000013
【図１３】
0006037651.tif 000014
【図１４】
0006037651.tif 000015
【図１５】
0006037651.tif 000016
【図１６】
0006037651.tif 000017